(57)【特許請求の範囲】
【請求項１】
第一の層と第二の層とを有し、前記第一の層と前記第二の層とが接触している多孔質膜であって、
前記第一の層が多孔質フッ素樹脂で形成され、
前記第一の層の膜厚が１５μｍ以下であり、
前記第二の層のＪＩＳ  Ｂ  ００３１で規定される局部山頂の平均間隔が、３μｍ以上４０μｍ以下であり、
前記第二の層の膜厚が５０μｍ以上１５０μｍ以下であり、
前記第二の層は、平均繊維径が０．１μｍ以上１５．０μｍ以下であり、かつ、ポリエチレンを含む繊維を含有することを特徴とする多孔質膜。
【請求項２】
ＪＩＳ  Ｐ８１１７で規定されるガーレー値が１０ｓ以下である請求項１に記載の多孔質膜。
【請求項３】
前記多孔質膜が、前記第二の層の上に、更に、第三の層を有し、
前記第三の層が前記第二の層よりも平均孔径が大きい請求項１又は２に記載の多孔質膜。
【発明の詳細な説明】
【技術分野】
【０００１】
本発明は多孔質膜に関する。
【背景技術】
【０００２】
気体中や液体中の塵などの不純物を濾過するための膜として、捕集効率が高い多孔質材料を積層させることで得られる膜（多孔質膜）が検討されている（特許文献１〜３）。特許文献１には、気流中の塵を補修するエアフィルタ用濾材として、支持層であるスパンボンド不織布上にポリテトラフルオロエチレン（ＰＴＦＥ）多孔質膜からなる主捕集層と、ポリプロピレン（ＰＰ）からなるプレ捕集層と、ＰＰからなる通気性カバー層と、をこの順に有する多孔質膜が記載されている。特許文献２には、マスク用通気フィルタとして、ＰＴＦＥ多孔質膜と、空気の流れに対してＰＴＦＥ多孔質膜よりも上流側に配置された通気性支持材とを有する多孔質膜が記載されている。特許文献３には、ＰＴＦＥ多孔質膜と通気性基材との間に、通気性基材よりも平滑な通気性保護層を介在させて、これらの部材を積層し、一体的に接合した多孔質膜が記載されている。
【先行技術文献】
【特許文献】
【０００３】
【特許文献１】特開２０１３−０６３４２４号公報
【特許文献２】特開２００６−０６１８０８号公報
【特許文献３】特開２０００−１７６２２６号公報
【発明の概要】
【発明が解決しようとする課題】
【０００４】
本発明者らの検討によると、特許文献１〜３に記載の多孔質膜では、ＰＴＦＥに変形が生じてしまう場合や通気性が低くなってしまう場合があった。
【０００５】
したがって、本発明の目的は変形がしにくく、通気性が良好な多孔質膜を提供することにある。
【課題を解決するための手段】
【０００６】
上記の目的は以下の本発明によって達成される。即ち、本発明にかかる多孔質膜は、第一の層と第二の層とを有し、前記第一の層と前記第二の層とが接触している多孔質膜であって、前記第一の層が多孔質フッ素樹脂で形成され、前記第一の層の膜厚が１５μｍ以下であり、前記第二の層のＪＩＳ  Ｂ  ００３１で規定される局部山頂の平均間隔が、３μｍ以上４０μｍ以下であり、前記第二の層の膜厚が５０μｍ以上１５０μｍ以下であり、前記第二の層は、平均繊維径が０．１μｍ以上１５．０μｍ以下であり、かつ、ポリエチレンを含む繊維を含有することを特徴とする。
【発明の効果】
【０００７】
本発明によれば、変形がしにくく、通気性が良好な多孔質膜を提供することができる。
【発明を実施するための形態】
【０００８】
以下、好適な実施の形態を挙げて、本発明を詳細に説明する。
【０００９】
本発明者らが、特許文献１〜３に記載の多孔質膜について検討したところ、ＰＴＦＥのような多孔質フッ素樹脂で形成される層（多孔質フッ素樹脂層）に積層される層の局部山頂の平均間隔が原因であることが分かった。具体的には、局部山頂の平均間隔が大きいと、多孔質フッ素樹脂層が変形しやすく、一方、局部山頂の平均間隔が小さいと通気性が低くなってしまう。
【００１０】
そこで、本発明者らが、多孔質フッ素樹脂層（第一の層）の耐水圧と膜厚、その上に積層される層（第二の層）の局部山頂の平均間隔に関して検討を重ねた結果、本願発明の構成を満足することで、変形の抑制効果と通気性とを両立することができることが分かった。
【００１１】
具体的には、多孔質膜が多孔質フッ素樹脂で形成される第一の層と、第二の層と、を有する構成とし、第一の層が、耐水圧が２００ｋＰａ以上、かつ、膜厚が２０μｍ以下を満足するようにし、更に、第二の層の局部山頂の平均間隔が、３μｍ以上４０μｍ以下となるようにすることが必要であることが分かった。尚、本発明において、耐水圧はＪＩＳ  Ｌ  １０９２で規定される値であり、局部山頂の平均間隔はＪＩＳ  Ｂ  ００３１で規定される値である。
【００１２】
係る構成によって効果が得られるメカニズムは判明していないが、本発明者らは、第一の層と第二の層との接触面積が適度な範囲となり、通気性を維持しつつも、剛性が増し、変形が抑えられたのではないかと考えている。
【００１３】
［多孔質膜］
本発明において、多孔質膜は、第一の層と第二の層とを有する。更には、第二の層の上に、第三の層を有すること、即ち、第一の層と第二の層と第三の層とをこの順に有することが好ましい。第三の層の上に、更に別の層を有していてもよい。また、本発明の効果が得られるのであれば、各層間に別の層を有していてもよい。本発明において、第一の層と第二の層とは隣り合う層であることが好ましい。また、各々の層は層内の孔径が深さ方向に傾斜がかかっていてもよい。
【００１４】
本発明において、多孔質膜のＪＩＳ  Ｌ  １９１３：２０１０で規定される引張試験における単位幅あたりの塑性変形開始荷重が２００Ｎ／ｍ以上であることが好ましく、３００Ｎ／ｍ以上であることがより好ましく、４，０００Ｎ／ｍ以下であることが好ましい。本発明の実施例において、引張試験は、引張試験機ＡＫＧ−ｋＮＸ（島津製作所製）で測定した。その際、測定する試料のサイズを２５ｍｍ±０．５ｍｍ×１５０ｍｍとし、つかみ間隔を５０ｍｍ±０．５ｍｍ、引張速度を２０±０．０２ｍｍ／ｍｉｎとした。塑性変形が開始した時の荷重を試験片幅で除した値が単位幅あたりの塑性変形開始荷重である。
【００１５】
本発明において、多孔質膜の通気性はＪＩＳ  Ｐ８１１７で規定されるガーレー試験機により測定されるガーレー値が１０ｓ以下であることが好ましく、７ｓ以下であることがより好ましく、３ｓ以下であることが特に好ましい。尚、ガーレー値が低いもの程、通気性が高いことを意味する。
【００１６】
以下、本発明の多孔質膜を構成する各層について、それぞれ説明する。
【００１７】
［第一の層］
本発明において、第一の層はフッ素樹脂である。フッ素樹脂は、表面自由エネルギーが低く、クリーニング性が高い。フッ素樹脂としては、具体的に、ポリテトラフルオロエチレン（ＰＴＦＥ）、ポリクロロトリフルオロエチレン（ＰＣＴＦＥ）、ポリフッ化ビニリデン（ＰＶＤＦ）、ポリフッ化ビニル（ＰＶＦ）、パーフルオロアルコキシフッ素樹脂（ＰＦＡ）、四フッ化エチレン・六フッ化プロピレン共重合体（ＦＥＰ）、エチレン・四フッ化エチレン共重合体（ＥＴＦＥ）、エチレン・クロロトリフルオロエチレン共重合体（ＥＣＴＦＥ）が挙げられる。これらの樹脂は、必要に応じて１種又は２種以上を用いることができ、複数の膜が積層された構成でもよい。  本発明において、第一の層の、ＪＩＳＬ  １０９２で規定される耐水圧は、２００ｋＰａ以上であることが必要である。耐水圧は、３００ｋＰａ以上が好ましい。
【００１８】
本発明において、第一の層の膜厚は、２０μｍ以下である。膜厚は、１５μｍ以下が好ましく、３μｍ以上が好ましい。本発明の実施例において、膜厚は、直進式のマイクロメーターＯＭＶ＿２５（ミツトヨ製）で任意の１０点の膜厚を測定し、その平均値を算出することで得た。
【００１９】
本発明において、第一の層の表面のＪＩＳ  Ｂ  ０６０１：２００１で規定される算術平均粗さＲａは１．９μｍ以下であることが好ましく、１．５μｍ以下であることがより好ましく、１．０μｍ以下であることが特に好ましく、０．４μｍ以下であることが更に好ましい。表面形状の測定は、ピンホール等による共焦点光学系を用いたレーザー顕微鏡（例えば波長４０５ｎｍ程度の半導体レーザーが用いられる）を用いて、観察測定範囲における反射をＺ軸方向にスキャンしたデータを合成することで形状が得られる。本発明の実施例において、表面粗さは、ＶＫ９７１０レーザー顕微鏡（キーエンス製）を用いて、対物レンズ５０倍（ＣＦ  ＩＣ  ＥＰＩ  ＰＬＡＮ  Ａｐｏ  ５０Ｘ  ニコン製）で表面から深さ２００μｍまでのデータをＲＰＤモードで取得し、得られたデータをノイズフィルター（メディアン）処理し、カットオフλｃを０．０８μｍとして、表面粗さを基準線長さ２００μｍで算出した。
【００２０】
［第二の層］
本発明において、第二の層の表面のＪＩＳ  Ｂ  ０６０１：２００１で規定される算術平均粗さＲａは１０μｍ以下であることが好ましく、６．０μｍ以下であることがより好ましく、４．０μｍ以下であることが特に好ましい。
【００２１】
本発明において、第二の層の、ＪＩＳ  Ｂ  ００３１で規定される局部山頂の平均間隔が３μｍ以上４０μｍ以下である必要がある。局部山頂の平均間隔は３μｍ以上１５μｍ以下であることが好ましい。表面形状の測定は、ピンホール等による共焦点光学系を用いたレーザー顕微鏡（例えば波長４０５ｎｍ程度の半導体レーザーが用いられる）を用いて、観察測定範囲における反射をＺ軸方向にスキャンしたデータを合成することで形状が得られる。本発明の実施例において、局部山頂の平均間隔は、キーエンス社製レーザー顕微鏡ＶＫ９７１０を用いて、対物レンズ５０倍（ＣＦ  ＩＣ  ＥＰＩ  ＰＬＡＮ  Ａｐｏ  ５０Ｘ  ニコン製）で表面から深さ２００μｍまでのデータをＲＰＤモードで取得し、得られたデータをノイズフィルター（メディアン）処理し、カットオフλｃを０．０８μｍとして、断面プロファイルから局部山頂の平均間隔を基準線長さ２００μｍで算出した。
【００２２】
本発明において、第二の層は通気性をもつ支持層であることが好ましい。具体的には、第一の層よりも通気性に優れたもの、例えば、不織布、織布、メッシュ（網状ネット）及びその他の多孔質材料が挙げられる。中でも、強度、柔軟性及び作業性の観点から、不織布が好ましい。
【００２３】
本発明において、第二の層は（１）二種類の繊維を含有すること、又は（２）二種類の材料を含む繊維を含有することが好ましい。各々の場合について以下に説明する。尚、本発明において「軟化点」とは、融点を有する繊維の場合は融点を、融点を有さず、ガラス転移点を有する繊維の場合はガラス転移点を、それぞれ指すものとする。また、本発明の実施例において、繊維の平均繊維径は、繊維表面を走査型電子顕微鏡で観察し、任意の１０点以上の繊維の太さを測定し、その平均値を算出することで得た。
【００２４】
（１）第二の層が第一の繊維と第二の繊維とを含有する場合
これら二種類の繊維は、混合されていてもよいし、芯構造と鞘構造とから構成される芯鞘構造を形成していてもよい。
【００２５】
第二の層の第一の繊維の平均繊維径は、０．１μｍ以上１５．０μｍ以下であることが好ましく、０．１μｍ以上１０．０μｍ以下であることがより好ましく、０．１μｍ以上５．０μｍ以下であることが特に好ましい。
【００２６】
第二の層の第二の繊維の平均繊維径は、０．１μｍ以上１５．０μｍ以下であることが好ましく、０．１μｍ以上１０．０μｍ以下であることがより好ましく、０．１μｍ以上５．０μｍ以下であることが特に好ましい。
【００２７】
また、二種類の繊維の平均繊維径、及び／又は軟化点が異なることが好ましい。具体的には、第一の繊維及び第二の繊維が下記条件（１）及び下記条件（２）の少なくとも一方を満足し、第二の層における、第一の繊維と第二の繊維の質量比率が、２０：８０〜８０：２０であることが好ましい。
条件（１）：前記第一の繊維の平均繊維径が前記第二の繊維の平均繊維径より大きく、前記第二の繊維の平均繊維径に対する前記第一の繊維の平均繊維径が、１．２倍以上５０．０倍以下である。
条件（２）：前記第一の繊維の軟化点と前記第二の繊維の軟化点との差が１０℃以上［｜（第一の繊維の軟化点）−（第二の繊維の軟化点）｜≧１０℃］である。
【００２８】
（２）第二の層が第一の材料及び第二の材料を含む繊維を含有する場合
第二の層の繊維の平均繊維径が、０．１μｍ以上１５．０μｍ以下であることが好ましく、０．１μｍ以上１０．０μｍ以下であることがより好ましく、０．１μｍ以上５．０μｍ以下であることが特に好ましい。
【００２９】
また、第一の材料の軟化点と、第二の材料の軟化点との差が１０℃以上であることが好ましい。
【００３０】
更には、第一の材料と第二の材料の質量比率が、２０：８０〜８０：２０であることが好ましい。
【００３１】
上記の条件を満足することで、第一の層と第二の層との接着点が小さくなり、接着点同士の間隔も狭くなるため、通気性と層間の密着強度を共に向上することができる、と本発明者らは考えている。
【００３２】
第二の層の材料としては、特に限定されないが、ポリオレフィン（ポリエチレン（ＰＥ）、ポリプロピレン（ＰＰ）など）、ポリウレタン、ナイロン、ポリアミド、ポリエステル（ポリエチレンテレフタラート（ＰＥＴ）など）、ポリスルフォン（ＰＳＦ）、フッ素樹脂などの単一素材、またはこれらの複合材料などが好ましい。
【００３３】
［第三の層］
本発明の多孔質膜は上述の通り、更に第三の層を有していてもよい。第三の層の材料としては、第二の層の材料として上記で例示したものと同様のものを用いることができる。剛性の観点から不織布が好ましい。第三の層の表面は平滑であることが好ましい。また、第三の層の平均孔径は、第二の層の平均孔径よりも大きいことが好ましい。尚、本発明において、平均孔径は、パームポロメメーターＣＦＰ−１２００Ａ（ＰＭＩ製）により測定した。
【００３４】
本発明において、第三の層を構成する繊維の中の最も低い軟化点の繊維と、第二の層を構成する繊維の中の最も低い軟化点の繊維との軟化点の差が５℃以上であることが好ましい。本発明においては、繊維の芯よりも外側の材質の軟化点が低い芯鞘構造でもよい。
【００３５】
［多孔質膜の製造方法］
本発明において、多孔質膜を製造する方法は、特に限定されないが、第一の層を作製する工程、第二の層を作製する工程、及び各層を積層化する工程を有する方法が好ましい。
【００３６】
第一の層として、ＰＴＦＥを用いた多孔質膜を作製する方法について、以下に例を挙げて説明する。
【００３７】
ＰＴＦＥファインパウダーに潤滑剤を加えて均一に混合する。ＰＴＦＥファインパウダーとしては、例えば、ポリフルオンＦ−１０４（ダイキン工業製）、フルオンＣＤ−１２３（旭硝子製）などが挙げられる。潤滑剤としては、例えばミネラルスピリッツ、ナフサなどが挙げられる。
【００３８】
潤滑処理したＰＴＦＥファインパウダーをシリンダ内で圧縮してペレットを形成し、未焼成状態でラム押し出し機から押し出してシート状に成形し、対になったロールにより適当な厚さ、通常は０．０５〜０．７ｍｍに圧延する。圧延されたシートに含まれる潤滑剤は、加熱により除去され、ＰＴＦＥシートが得られる。
【００３９】
次に、このＰＴＦＥシートを、温度をかけながらＰＴＦＥシートの長手方向（圧延方向）に延伸し、その後、温度をかけながらＰＴＦＥシートの幅方向に延伸する。ＰＴＦＥペーストの加熱と延伸処理の方法で様々な孔径、空隙率、厚みの多孔質体が形成できる。
【００４０】
延伸の際に、ＰＴＦＥの軟化点より低い加熱温度で１軸以上の方向に比較的高速度で延伸するとＰＴＦＥ多孔質体はきわめて小さい繊維により相互に連結された１μｍより大きな大寸法の結節部を含む繊維構造を有し、その空隙率は４０〜９７％と高く、きわめて高強度である。
【００４１】
また、成形体を半焼成状態にした後に延伸する方法や、ＰＴＦＥの軟化点（３２７℃）以上の温度に加熱焼成した後、あるいは、軟化点以上に加熱焼成しながら延伸する方法もある。
【００４２】
また、Ｅｌｅｃｔｒｏ  Ｓｐｉｎｉｎｇ（ＥＳ）法などで得られたフッ素樹脂繊維を熱圧などで膜化したものを用いてもよい。
【００４３】
第二の層として、不織布を用いる場合、その作製方法としては、乾式法、湿式法、スパンボンド法やＥＳ法などでフリースを形成したのち、ケミカルボンド法、サーマルボンド法、ニードルパンチ法、水流交絡法などで繊維間を接合する方法が挙げられる。
【００４４】
第一の層と第二の層を積層化する方法としては、重ね合わせるだけでもよく、接着剤ラミネートまたは熱ラミネートなどの方法を用いて互いに接着してもよい。通気性の観点から熱ラミネートが好ましい。例えば、加熱により、第一の層または第二の層の一部を溶融させて第二の層と第一の層を接着積層してもよい。また、ホットメルトパウダーのような融着材を第一の層と第二の層に介在させて加熱により互いに接着積層してもよい。例えば、熱ラミネーションによる多孔質膜を積層する方法では、接触する二つの層において各層の中の熱軟化点が最も低い繊維種で比較して、熱軟化点が高い方の層側から加熱することが好ましい。熱軟化点が高い方の層側から加熱することで、接触する熱軟化点が低い方の層の表面近傍のみを加熱することが可能であるため、通気性の低下を抑制することができる。
【００４５】
第三の層を更に積層させる場合は、第一の層及び第二の層と共に積層させてもよいし、順次積層させてもよく、積層順に関しても適宜選択すればよい。
【実施例】
【００４６】
以下、実施例及び比較例を用いて本発明を更に詳細に説明する。本発明は、その要旨を超えない限り、下記の実施例によって何ら限定されるものではない。
【００４７】
第一の層として、以下の表１に記載の膜厚、算術平均粗さＲａ、耐水圧であるＰＴＦＥ膜をそれぞれ用意した。
【００４８】
【表１】
0006602063.tif 000002
【００４９】
第二の層として、以下の表２及び表３に記載の膜厚、算術平均粗さＲａ、局部山頂の平均間隔であるポリエチレン（第一の繊維）膜（２−ａ、２−ｂ、２−ｃ、２−ｆ、２−ｇ）と、ポリエチレン（第一の繊維）とポリプロピレン（第二の繊維）からなる膜（２−ｄ、２−ｅ）をそれぞれ用意した。２−ｈは、第一の材料（ポリエチレン）及び第二の材料（ポリプロピレン）を含む繊維を含有する膜であり、第一の材料が「鞘構造」であり、第二の材料が「芯構造」である「芯鞘構造」であった。
【００５０】
【表２】
0006602063.tif 000003
【００５１】
【表３】
0006602063.tif 000004
【００５２】
第三の層として、膜厚が１００μｍのポリプロピレン膜を用意した。
【００５３】
そして、以下の表４の組合せで、第一の層と第二の層と第三の層とを熱圧ラミネーションによって積層し多孔質膜を得た。更に、得られた多孔質膜の降伏値及びガーレー値を上述の方法で測定した。結果を表４に示す。
【００５４】
【表４】
0006602063.tif 000005
【００５５】
［評価］
上記で得られた多孔質膜について、以下の評価方法により評価を行った。評価結果を表５に示す。本発明においては、下記の各評価項目の評価基準のＡＡ〜Ｂを好ましいレベルとし、Ｃを許容できないレベルとした。
【００５６】
＜局所変形抑制効果＞
上記で得られた多孔質膜をフィルタとして用いた場合における、第一の層の変形を観察し評価した。評価基準は以下の通りである。
Ｂ：変形が見られなかった。又は、変形が僅かに見られたが、気にならないレベルであった
Ｃ：変形が大きく見られた。
【００５７】
＜濾過性＞
上記で得られた多孔質膜を、有効面積１００ｃｍ２の円形ホルダにセットし、塵埃を含む空気（石英粉塵を、粒子径２μｍ以下の粒子が５×１０５個／Ｌとなるよう供給したもの）を透過速度５．３ｃｍ／秒で供給、通過させ、上流側の粒子濃度（個／Ｌ）と、下流側の粒子濃度（個／Ｌ）とをパーティクルカウンターＫＣ−１８（リオン製）で測定し、下記式を用いて捕集効率を求めた。捕集効率が高い程、濾過性が高いことを意味する。評価基準は以下の通りである。
捕集効率（％）＝（１−下流側の粒子濃度／上流側の粒子濃度）×１００
Ａ：捕集効率が９９％以上であった
Ｂ：捕集効率が９８％以上９９％未満であった
Ｃ：捕集効率が９８％未満であった。
【００５８】
＜密着強度＞
上記で得られた多孔質膜をフィルタとして用いた場合における、多孔質膜の層間の剥離の有無を観察し、密着強度を評価した。評価基準は以下の通りである。
Ｂ：層間の剥離が発生していなかった
Ｃ：層間に剥離が発生していた。
【００５９】
＜圧力分布の抑制効果＞
圧力分布の抑制効果を評価するために、上記で得られた多孔質膜を拭き取り部材として用い、インクジェット式プリンターのメンテナンスにおいて、多孔質膜を、インクを吐出するヘッドのノズルが形成されたノズル面に押し当て部材で当接させ、多孔質膜とヘッドを、相対的に移動させることで、ノズル面に付着したインク滴、ごみ、埃、紙粉などを払拭した。多孔質膜はＲｏｌｌ  ｔｏ  Ｒｏｌｌで、巻き取りローラーで搬送して拭きとり部材として用いた。拭き取り後のノズルが形成された面の表面を光学顕微鏡で観察することで拭きムラの発生の有無を評価した。拭きムラが抑制されている程、圧力分布の抑制効果が高いことを意味する。評価基準は以下の通りである。
Ａ：拭きムラが見られなかった
Ｂ：僅かに拭きムラが見られたが、気にならないレベルであった
Ｃ：拭きムラが生じていた。
【００６０】
＜搬送性＞
上記で得られた多孔質膜をＲｏｌｌ  Ｔｏ  Ｒｏｌｌで搬送し、拭きとり部材として用いた場合において、搬送時にかかる張力による変形の有無を観察した。変形が少ない程、搬送性が高いことを意味する。評価基準は以下の通りである。
Ａ：塑性変形がみられず、更に張力がかけられた
Ｂ：塑性変形がみられなかった
Ｃ：塑性変形がみられた。
【００６１】
【表５】
0006602063.tif 000006